(57)【要約】【課題】本発明は、主に携帯用電子機器の補助電池として用いられる携帯型の電池パックに関し、携帯性に優れ、長時間駆動できる電池パックを提供することを目的とする。【解決手段】電池パック１は、電池（不図示）を内蔵する電池内蔵部３ａと別の電池（不図示）を内蔵する電池内蔵部３ｂとを有する電池ケース３を備えている。電池内蔵部３ａと電池内蔵部３ｂとは、ヒンジ部５で開閉可能に支持されている。さらに、電池ケース３は、電子機器に電池ケース内部の電池の電力を供給する電源端子９を有している。電源端子９は、電池内蔵部３ａ内部に内蔵された保護回路（不図示）から取出し口１３を介して引き出された電源ケーブル１１に接続されている。【選択図】図１
2005116407.tif 000002
【特許請求の範囲】
【請求項１】
少なくとも２つの電池を内蔵する電池ケースを有する電池パックであって、
前記電池ケースは、
前記２つの電池の一方を内蔵する第１の電池内蔵部と、
前記２つの電池の他方を内蔵する第２の電池内蔵部と、
前記第１の電池内蔵部と前記第２の電池内蔵部とを開閉可能に支持するヒンジ部と
を有することを特徴とする電池パック。
【請求項２】
請求項１記載の電池パックであって、
前記電池ケースは、電子機器に前記電池の電力を供給する電源端子を有すること
を特徴とする電池パック。
【請求項３】
請求項１又は２に記載の電池パックであって、
前記ヒンジ部は、前記電池の充放電を制御する充放電制御回路を有していること
を特徴とする電池パック。
【請求項４】
電池と、
前記電池を内蔵する電池ケースと、
前記電池ケースに設けられ、別の電池パックを接続する第１の端子部と
を有することを特徴とする電池パック。
【請求項５】
請求項４記載の電池パックであって、
前記電池ケースに設けられ、さらに別の電池パックに接続される第２の端子部を有すること
を特徴とする電池パック。
【請求項６】
請求項５記載の電池パックであって、
前記第１又は第２の端子部の少なくとも一方に接続保持用の永久磁石を有すること
を特徴とする電池パック。
【請求項７】
請求項４乃至６のいずれか１項に記載の電池パックであって、
前記電池ケースは、電子機器に前記電池の電力を供給する電源端子をさらに有すること
を特徴とする電池パック。
【請求項８】
電池を内蔵する電池ケースを備えた電池パックであって、
前記電池ケースは、紐状部材を通す穴部を有すること
を特徴とする電池パック。
【請求項９】
電池を内蔵した複数の電池パック同士を接続する接続端子を有すること
を特徴とする電池パック接続部品。
【請求項１０】
請求項９記載の電池パック接続部品であって、
電子機器に前記電池の電力を供給する電源端子を有すること
を特徴とする電池パック接続部品。
【発明の詳細な説明】
【技術分野】
【０００１】
本発明は、主に携帯用電子機器の補助電池として用いられる携帯型の電池パックに関する。
【背景技術】
【０００２】
リチウムイオン２次電池は、１９９０年に発表されて以来、携帯電話機、デジタルビデオカメラ、デジタルスチルカメラ等の携帯用電子機器の電源供給用素子として広く利用されている。通常、リチウムイオン２次電池や電気二重層キャパシタ等の電気化学素子単体（以下、素電池という）は、保護回路、電子機器との接続用端子、及びその他の種々の部材と共に、熱可塑性高分子材料で形成された電池ケース内部に内蔵され、これらが一体となった電池パックとして用いられている。
【特許文献１】特許第３４１０９６０号公報
【特許文献２】特開平１０−５０２８０号公報
【発明の開示】
【発明が解決しようとする課題】
【０００３】
しかしながら、電池パックを用いて電子機器を長時間駆動させるには大容量の素電池を複数用いる必要があるため、電池パックが大型化してしまい携帯性、可搬性が低下してしまうという問題が生じる。さらに、電池パックが大型になると、自動車内や列車内、あるいは航空機内のように比較的狭い作業空間では電池パックの設置場所の確保が困難になり作業性が低下してしまうという問題が生じる。
【０００４】
本発明の目的は、携帯性に優れ、長時間駆動できる電池パックを提供することにある。
【課題を解決するための手段】
【０００５】
上記目的は、少なくとも２つの電池を内蔵する電池ケースを有する電池パックであって、前記電池ケースは、前記２つの電池の一方を内蔵する第１の電池内蔵部と、前記２つの電池の他方を内蔵する第２の電池内蔵部と、前記第１の電池内蔵部と前記第２の電池内蔵部とを開閉可能に支持するヒンジ部とを有することを特徴とする電池パックによって達成される。
【０００６】
上記本発明の電池パックであって、前記電池ケースは、電子機器に前記電池の電力を供給する電源端子を有することを特徴とする。
【０００７】
上記本発明の電池パックであって、前記ヒンジ部は、前記電池の充放電を制御する充放電制御回路を有していることを特徴とする。
【０００８】
上記目的は、電池と、前記電池を内蔵する電池ケースと、前記電池ケースに設けられ、別の電池パックを接続する第１の端子部とを有することを特徴とする電池パックによって達成される。
【０００９】
上記本発明の電池パックであって、前記電池ケースに設けられ、さらに別の電池パックに接続される第２の端子部を有することを特徴とする。
【００１０】
上記本発明の電池パックであって、前記第１又は第２の端子部の少なくとも一方に接続保持用の永久磁石を有することを特徴とする。
【００１１】
上記本発明の電池パックであって、前記電池ケースは、電子機器に前記電池の電力を供給する電源端子をさらに有することを特徴とする。
【００１２】
上記目的は、電池を内蔵する電池ケースを備えた電池パックであって、前記電池ケースは、紐状部材を通す穴部を有することを特徴とする電池パックによって達成される。
【００１３】
上記目的は、電池を内蔵した複数の電池パック相互を接続する接続端子を有することを特徴とする電池パック接続部品によって達成される。
【００１４】
上記本発明の電池パック接続部品であって、電子機器に前記電池の電力を供給する電源端子を有することを特徴とする。
【発明の効果】
【００１５】
本発明によれば、携帯性に優れ、長時間駆動できる電池パックを実現できる。
【発明を実施するための最良の形態】
【００１６】
本発明の第１の実施の形態による電池パックについて図１乃至図３を用いて説明する。まず、本実施の形態による電池パック１の概略構成について図１を用いて説明する。図１は、電池パック１の外観斜視図を示している。図１（ａ）は、電池パック１の電池ケース３を開いた状態の斜視図であり、図１（ｂ）は、電池パック１の電池ケース３を閉じた状態の斜視図である。図２は、電池ケース３を開いた状態で、第１及び第２の電池内蔵部３ａ、３ｂの開閉対向面を透過して見た電池パック１の内部構造を示している。図１及び図２に示すように、電池ケース３は、直方体平板状の素電池１９ａを内蔵する直方体平板状の第１の電池内蔵部３ａと、素電池１９ａと同一仕様の素電池１９ｂを内蔵する直方体平板状の第２の電池内蔵部３ｂとを有している。また、電池ケース３は、第１の電池内蔵部３ａと第２の電池内蔵部３ｂの一短辺側相互を回転可能に接続するヒンジ部５を有している。
【００１７】
ヒンジ部５は、第１の電池内蔵部３ａの一短辺にほぼ平行な軸を有する一対の円筒状凸部１５を両端に保持して第１の電池内蔵部３ａの一短辺側に配置された円筒状凸部保持部７を有している。また、ヒンジ部５は、開閉時に第１の電池内蔵部３ａの円筒状凸部保持部７と干渉しないように第２の電池内蔵部３ｂの一短辺側に設けた凹状部の両内側に、第１の電池内蔵部３ａの一対の円筒状凸部１５とそれぞれ嵌り合う一対の円筒状凹部１７を有している。円筒状凸部１５と円筒状凹部１７とが嵌合して、第１の電池内蔵部３ａと第２の電池内蔵部３ｂとは開閉可能に支持される。図１（ｂ）に示すように、円筒状凸部保持部７は第２の電池内蔵部３ｂとほぼ同じ厚さに形成されているので、電池ケース３を閉じた状態では、円筒状凸部保持部７と第２の電池内蔵部３ｂとがほぼ同一面内に含まれるようになっている。
【００１８】
図２に示すように、ヒンジ部５の円筒状凸部１５は端部が開口された中空状に形成されており、一方、円筒状凹部１７の底部も開口されて第２の電池内蔵部３ｂ内に通じている。これらの開口を介して第１の電池内蔵部３ａ側と第２の電池内蔵部３ｂ側とを電気的に接続するケーブル等を配線することができる。これらの開口により、ヒンジ部５を回転させても当該ケーブル等にねじれや引っ張り等の外力を与えずに済むようになる。
【００１９】
第１の電池内蔵部３ａの他短辺側には保護回路２１から延出して携帯用電子機器の電源供給端子や外部充電器の電流出力端子に接続される電源端子９を端部に備えた電源ケーブル１１の取り出し口１３が設けられている。
【００２０】
第１及び第２の電池内蔵部３ａ、３ｂのほぼ中央部には、素電池１９ａ、１９ｂがそれぞれ配置されている。素電池１９ａ、１９ｂは、長辺の長さが約１１５ｍｍ、短辺の長さが約８７ｍｍ、厚さが３ｍｍの薄型形状を有している。素電池１９ａ、１９ｂの正極（不図示）は、ＰＶＤＦ（ポリフッ化ビニリデン）を６重量％、ＬｉＮｉ１／３Ｍｎ１／３Ｃｏ１／３Ｏ２を９０重量％、及びグラファイトを４重量％にして混合した組成物をＮ−メチル−２−ピロリドンでペースト化し、アルミニウム箔集電体にドクターブレード法で塗布して乾燥して形成されている。また、素電池１９ａ、１９ｂの負極（不図示）は、ＰＶＤＦを１０重量％、及びＭＣＭＢ（メソカーボンマイクロビーズ）を９０重量％にして混合した組成物をＮ−メチル−２−ピロリドンでペースト化し、銅箔集電体にドクターブレード法で塗布して乾燥して形成されている。
【００２１】
こうして形成された正極（正極集電体も含む）と負極（負極集電体も含む）とは、厚さが２５μｍのポリオレフィン製のセパレータ（不図示）を介して対面して積層されている。正極、負極、及びセパレータは、エチレン−メタクリル酸共重合体の接着剤を塗布して固定されている。正極集電体にはアルミニウム製のプラス端子部２３ａ（２３ｂ）が溶接され、負極集電体にはニッケル製のマイナス端子部２５ａ（２５ｂ）が溶接されている。素電池１９ａの外装体２０ａ内部に正極、負極、及びセパレータ、並びにプラス端子部２３ａ及びマイナス端子部２５ａの一部が内蔵され、所定量の電解液を注入した注入口をヒートシールして素電池１９ａの外装体２０ａが密閉されている。素電池１９ｂも外装体２０ｂ内部に正極、負極、及びセパレータ、並びにプラス端子部２３ｂ及びマイナス端子部２５ｂの一部が内蔵されて密閉されている。電解液は、濃度が１ｍｏｌ／ｌのＬｉＰＦ６の電解質と、エチレンカーボネートとジエチルカーボネートとを混合（混合比は体積で１：１）した溶媒とが用いられている。また、外装体２０ａ、２０ｂは、アルミラミネート材料で形成されている。アルミラミネート材料は、厚さが１２μｍのＰＥＴ（ポリエチレンテレフタレート）と、厚さが４０μｍのＡｌ（アルミニウム）と、厚さが５０μｍのＰＰ（ポリプロピレン）の積層構造を有している。こうして形成された素電池１９ａ、１９ｂの公称容量は２５００ｍＡｈである。
【００２２】
素電池１９ａ、１９ｂを充放電する充放電制御回路を構成し過充電／過放電を防止する保護回路２１は、第１の電池内蔵部３ａ内に配置され、素電池１９ａと取り出し口１３が形成された第１の電池内蔵部３ａ側壁との間に配置されている。保護回路２１は４個の電極端子（不図示）を有し、そのうちの２個の電極端子には、素電池１９ａのプラス端子部２３ａとマイナス端子部２５ａとが接続されている。また、残りの２個の電極端子には、リード線２９ａ、２９ｂが接続されている。リード線２９ａ、２９ｂは素電池１９ａ上部を引き回され、ヒンジ部５を通って第２の電池内蔵部３ｂ内に載置された素電池１９ｂのプラス端子部２３ｂとマイナス端子部２５ｂにそれぞれ接続されている。保護回路２１に接続されたリード線２９ａ、２９ｂは円筒状凸部１５の開口と円筒状凹部１７の底部開口とを通って第２の電池内蔵部３ｂ側に挿入されている。なお、素電池１９ａ上部でリード線２９ａ、２９ｂは保護カバー２７で覆われている。
【００２３】
素電池１９ａと素電池１９ｂとは保護回路２１内で直列又は並列に接続されており、所定電圧が得られるようになっている。保護回路２１内で得られた電圧は電源ケーブル１１を介して電源端子９から出力される。従って、電源端子９を携帯用電子機器の電源供給端子に接続すれば、電池パック１を携帯用電子機器の補助電池として用いることができる。
【００２４】
このように本実施の形態によれば、電池パック１は電池ケース３を折り畳んで小さくすることができるので、電池パック１の携帯性が向上する。また、電池ケース３を開いて電池パック１を使用すれば、放熱面積が広くなるので発熱による素電池１９ａ、１９ｂの劣化が抑制され、電池パック１は長時間の駆動が可能になる。
【００２５】
次に、本実施の形態の変形例について、図３を用いて説明する。上記実施の形態の電池パック１では、電池ケース３は第１及び第２の電池内蔵部３ａ、３ｂを有している。これに対し、本変形例では、電池ケース３は素電池を内蔵する第３の電池内蔵部３ｃをさらに備えている点に特徴を有している。図３は、本変形例の電池パック１の斜視図である。図１及び図２に示した上記実施の形態の電池パック１の構成要素と同一の作用・機能を奏する構成要素には同一の符号を付してその説明は省略する。
【００２６】
図３に示すように、第１の電池内蔵部３ａと第２の電池内蔵部３ｂとはヒンジ部５を介して開閉可能に支持されている。また、第２の電池内蔵部３ｂと第３の電池内蔵部３ｃとはヒンジ部５’を介して開閉可能に支持されている。ここで、第１の電池内蔵部３ａと第２の電池内蔵部３ｂとの成す角を９０°より小さくし、同様に、第２の電池内蔵部３ｂと第３の電池内蔵部３ｃとの成す角を９０°より小さくすれば、電池パック１を中空の三角柱形状に保持できる。これにより、電池パック１の放熱性が向上するので発熱による素電池の劣化が抑制され、長時間の駆動が可能になる。さらに、電池パック１を電池ケース３側面で机等の使用場所に立たせれば、電池パック１と使用場所との接触面積が小さくなるので、放熱性がさらに向上して、さらに長時間の駆動が可能になる。
【００２７】
上記のようにヒンジ部５、５’は電池パック１を小さく折り畳むための構造体であるが、電池パック１に対して、より高い機能を付加するために、充放電制御回路の収容部として用いることができる。例えば、ヒンジ部５、５’を保護回路２１の収容に用いることができる。この場合、電池内蔵部３ａ及び電池内蔵部３ｂの内部に収容できる電池スペースが大きくなるので、電池内蔵部３ａ、３ｂの１個当りの体積容量を大きくすることができる。また、ヒンジ部５、５’の内部に補助電源、例えば、電気二重層キャパシタなどを収容することができる。この補助電源によって、駆動時の負荷変動が大きな装置においても安定した電力供給が可能となる。あるいは、素電池１９ａ、１９ｂの充放電の状態を確認できる電圧モニタ回路、電圧モニタ表示部、又は、充電完了表示部を設けることによって、電池内蔵部３ａ、３ｂの１個当りの体積容量を減らすことなく安全確保の機能を付加することができる。
【００２８】
このように本変形例によれば、電池パック１の放熱性がより向上するので、より長時間の駆動が可能になる。さらに、電池パック１は、電池ケース３を折り畳んで小さくすることができるので、携帯性が向上する。
【００２９】
本発明の第２の実施の形態による電池パックについて図４乃至図７を用いて説明する。まず、本実施の形態による電池パック２ａ、２ｂの概略構成について図４及び図５を用いて説明する。図４は、電池パック２ａ、２ｂの外観斜視図である。図４（ａ）は、電池パック２ａの外観斜視図であり、図４（ｂ）は、電池パック２ｂの外観斜視図である。図１及び図２に示した上記実施の形態の電池パック１の構成要素と同一の作用・機能を奏する構成要素には同一の符号を付してその説明は省略する。
【００３０】
図４（ａ）に示すように、電池パック２ａは素電池（不図示）を内蔵する平板形状の電池ケース３を有している。電池ケース３の正面形状はほぼ長方形に形成されており、一短辺側の側面（右側面）には円筒形状の第１の端子部３１が電池ケース３内側に向かって形成されている。第１の端子部３１は、プラス端子部３１ａとマイナス端子部３１ｂとを有し、この後で説明する電池パック２ｂの端子部３５を挿入できるようになっている。さらに第１の端子部３１は、プラス端子部３１ａ及びマイナス端子部３１ｂを挟んで電池ケース３正面の短辺方向に伸びる接続保持用の永久磁石３３を有している。永久磁石３３は、電池パック２ａと別の電池パックとの接続強度を十分に保持するために用いられる。
【００３１】
電池ケース３右側面と対向する他短辺側の側面（左側面）には、保護回路（不図示）から延出して携帯用電子機器の電源供給端子や外部充電器の電流出力端子に接続される端部に電源端子９を備えた電源ケーブル１１の取り出し口（不図示）が設けられ、当該取り出し口から引き出された電源ケーブル１１を介して電源端子９が保護回路に接続されている。電池ケース３内部の保護回路には、不図示の直列接続した４個の素電池（素電池群）が接続されている。各素電池は電圧が約３．６Ｖなので、素電池群の電圧は約１４．４Ｖになる。また、保護回路内では、プラス端子部３１ａが素電池群のプラス側に、マイナス端子部３１ｂが素電池群のマイナス側に接続されている。従って、電池パック２ａに別の電池パックを接続すると、電池パック２ａと当該別の電池パックとは並列に接続される。
【００３２】
次に、電池パック２ｂについて、図４（ｂ）を用いて説明する。図４（ｂ）に示すように、電池パック２ｂは電池パック２ａとほぼ同一の平板形状の電池ケース３を有している。電池ケース３の右側面には、電池パック２ａと同様に、第１の端子部３１が形成されている。電池ケース３の左側面には、当該左側面から突出する円柱形状の第２の端子部３５が設けられている。第２の端子部３５は、プラス端子部３５ａとマイナス端子部３５ｂとを有し、電池パック２ａや別の電池パック２ｂの第１の端子部３１に挿入できるように形成されている。さらに第２の端子部３５は、プラス端子部３５ａ及びマイナス端子部３５ｂを挟んで電池ケース３正面の短辺方向に伸びる接続保持用の永久磁石（不図示）を有している。
【００３３】
電池パック２ａと同様に、電池パック２ｂ内部の保護回路（不図示）には、不図示の直列接続した４個の素電池（素電池群）が接続されている。各素電池は電圧が約３．６Ｖなので、素電池群の電圧は約１４．４Ｖになる。保護回路内で、プラス端子部３５ａとプラス端子部３１ａとが接続され、マイナス端子部３５ｂとマイナス端子部３１ｂとが接続されている。従って、複数の電池パック２ｂを接続すると、各電池パック同士は並列に接続される。同様に、電池パック２ａに電池パック２ｂを接続すると、電池パック２ａと電池パック２ｂとは並列に接続される。
【００３４】
ここで、第１の端子部３１と第２の端子部３５との接続方法について図５を用いて説明する。図５は、電池パック２ａに電池パック２ｂを接続する直前の、電池パック２ａのプラス端子部３１ａ及び電池パック２ｂのプラス端子部３５ａ近傍の切断面を示している。図５に示すように、プラス端子部３１ａは電池ケース３内側に向かう円筒形状を有している。プラス端子部３１ａ内壁は基準電位に接地されている。プラス端子部３１ａ内部には、保護回路（不図示）に接続された円筒形状の電極部３７が配置されている。電極部３７の開口部を除く周囲には、絶縁材料で円筒形状に形成した支持部材３９が配置されている。支持部材３９とプラス端子部３１ａ内壁との間には所定の間隙が設けられている。
【００３５】
一方、電池パック２ｂのプラス端子部３５ａは、電池ケース３から突出する絶縁材料で形成した円筒形状の保護部材４３を有している。保護部材４３外壁は不図示の導電性部材で覆われ、当該導電性部材は基準電位に接地されている。プラス端子部３５ａの外周はプラス端子部３１ａの内周とほぼ同一の直径を有している。保護部材４３内部には、保護回路（不図示）に接続された円筒形状の電極部４１が配置されている。電極部４１外周は電極部３７内周とほぼ同一の直径を有している。
【００３６】
プラス端子部３１ａ、３５ａの互いの開口部を対面させて、プラス端子部３５ａをプラス端子部３１ａに押し込むと、保護部材４３は、支持部材３９とプラス端子部３１ａ内壁との間の所定の間隙に挿入され、電極部４１は電極部３７に挿入される。これにより、電極部３７と電極部４１とが接触して、電極部３７、４１は電気的に接続される。また、電極部３７、４１の接続は機械的な接続にも寄与する。さらに、プラス端子部３１ａ内壁と保護部材４３外壁とが接触し、電池パック２ａ、２ｂの基準電位が同電位になる。また、支持部材３９と保護部材４３とは機械的な接続にも寄与する。さらに、電池ケース３の側面に備えられた永久磁石３３で、電池パック２ａ、２ｂの接続強度が十分に保たれる。なお、端子部３１と端子部３５との接続で接続強度が十分に保てれば、永久磁石３３を備えていなくてもよい。マイナス端子部３１ｂ、３５ｂは、プラス端子３１ａ、３５ａと同様の構成を有しているので、説明は省略する。
【００３７】
次に、本実施形態の電池パック２ａ、２ｂの使用形態について図６を用いて説明する。図６は、電池パック２ａと２個の電池パック２ｂとを接続した状態の斜視図である。図６に示すように、電池パック２ａと２個の電池パック２ｂとを連結すると、電池パック２ａ、２ｂは並列接続される。電源端子９の出力電圧値は約１４．６Ｖであって、電池パック２ａ単体の出力電圧値と変わらないが、駆動時間を約３倍に伸ばすことができる。また、電池パック２ａ、２ｂを持ち運ぶ際は、電池パック２ａ、２ｂを分離して持ち運ぶことができるので、電池パック２ａ、２ｂの携帯性が向上する。
【００３８】
図７は、ソケット形状に形成された電池パック２ａの右側面と電池パック２ｂの左側面の概略の斜視図である。図７（ａ）は、左側面の開口部に永久磁石３３を有する電池パック２ｂの端子部３５の斜視図であり、図７（ｂ）は、左側面の開口部に保護回路２１を有する電池パック２ｂの端子部３５の斜視図である。図７（ａ）に示すように、電池パック２ｂ左側面の全面は開口しており、開口部内に平板状のプラス端子部３５ａとマイナス端子部３５ｂとを有している。また、開口部の短辺側両端部には永久磁石３３が配置されている。電池パック２ａ右側面の全面は電池パック２ｂの左側面が嵌合できるように開口部（不図示）を有している。電池パック２ａ右側面の開口部内には、電池パック２ａを電池パック２ｂに挿入した際に、端子部３５（プラス端子部３５ａとマイナス端子部３５ｂ）に接続される平板状の端子部（不図示）が配置されている。また、開口部の短辺側両端部には永久磁石（不図示）が配置されている。
【００３９】
図７（ｂ）に示すように、永久磁石３３に代えて、電池パック２ｂの開口部に保護回路２１を配置し、同様に、電池パック２ａの開口部に永久磁石に代えて保護回路２１を配置する。電池パック２ａ、２ｂを接続すると、保護回路２１の基準電位端子同士が接触するようにしておけば、電池パック２ａ、２ｂの基準電位を同電位にすることができる。また、電池パック２ｂの右側面を電池パック２ａの右側面と同様の形状に形成すれば、複数の電池パック２ｂを連結することが可能になる。
【００４０】
このように本実施の形態によれば、電池パック２ａと複数の電池パック２ｂを容易に接続することができるので、電池パック２ａ、２ｂの駆動時間を長くすることができる。また、電池パック２ａ、２ｂを分離して持ち運ぶことができるので、電池パック２ａ、２ｂの携帯性が向上する。
【００４１】
本発明の第３の実施の形態による電池パックについて図８を用いて説明する。本実施の形態による電池パック４の概略構成と使用形態について図８を用いて説明する。図８は、電池パック４及び電池パック接続部品４５の外観斜視図を示している。図８（ａ）は、電池パック４及び電池パック接続部品４５を分離した状態を示し、図８（ｂ）は、電池パック４及び電池パック接続部品４５の使用形態を示している。本実施の形態の電池パック４は、端子部３５を備えていない点を除いて、上記実施の形態の電池パック２ｂと同様の構成を有している。図１乃至図７に示した上記実施の形態の電池パック１、２ａ、２ｂの構成要素と同一の作用・機能を奏する構成要素には同一の符号を付してその説明は省略する。
【００４２】
電池パック接続部品４５は中空の薄型直方体形状に形成されている。電池パック接続部品４５内部には保護回路（不図示）が内蔵されている。当該保護回路は電池パック２ｂの保護回路とほぼ同様の機能を発揮する。また、電池パック接続部品４５の一平面には、プラス端子部３５ａ及びマイナス端子部３５ｂがそれぞれ２個ずつ配置されている。プラス端子部３５ａ同士、マイナス端子部３５ｂ同士は保護回路内で接続されている。また、電池パック接続部品４５の一平面に対向する他平面には、電源ケーブル１１の取り出し口１３が形成されており、端部に電源端子９を備えた電源ケーブル１１が取り出し口１３を介して保護回路に接続されている。
【００４３】
次に、電池パック４及び電池パック接続部品４５の使用形態について説明する。図８（ｂ）に示すように、右側面が同一平面内に含まれるように２個の電池パック４を重ね合わせる。次いで、プラス端子部３５ａをプラス端子部３１ａに挿入し、マイナス端子部３５ｂをマイナス端子部３１ｂに挿入して電池パック接続部品４５を電池パック４に接続する。これにより、２個の電池パック４は電池パック接続部品４５で並列に接続される。
【００４４】
このように本実施の形態によれば、電池パック接続部品４５を用いて２個の電池パック４を容易に並列接続することができ、電池パック４の駆動時間を長くすることができる。また、電池パック４と電池パック接続部品４５とを分離して持ち運ぶことができるので、電池パック４の携帯性が向上する。
【００４５】
本発明は、上記実施の形態に限らず種々の変形が可能である。
例えば、電池パック１、２ａ、２ｂ、４の電池ケース３の一部に紐状部材を通す穴部を有していてもよい。当該穴部に紐を通して持ち運ぶことで、電池パック１、２ａ、２ｂ、４の可搬性が向上する。また、当該電池ケース用穴部にワイヤロープを通し、ワイヤロープを机等に繋いでおけば、電池パック１、２ａ、２ｂ、４の盗難を防止できる。
【図面の簡単な説明】
【００４６】
【図１】本発明の第１の実施の形態による電池パック１の概略構成を示す斜視図である。図１（ａ）は、電池パック１の電池ケース３を開いた状態の斜視図であり、図１（ｂ）は、電池パック１の電池ケース３を閉じた状態の斜視図である。
【図２】本発明の第１の実施の形態による電池パック１の内部構造を示す図である。
【図３】本発明の第１の実施の形態による電池パック１の変形例の斜視図である。
【図４】本発明の第２の実施の形態による電池パック２ａ、２ｂの外観斜視図である。図４（ａ）は、電池パック２ａの外観斜視図であり、図４（ｂ）は、電池パック２ｂの外観斜視図である。
【図５】本発明の第２の実施の形態による電池パック２ａ、２ｂの電池パック２ａのプラス端子部３１ａ及び電池パック２ｂのプラス端子部３５ａ近傍の切断面である。
【図６】本発明の第２の実施の形態による電池パック２ａ、２ｂにおいて、電池パック２ａと２個の電池パック２ｂとを接続した状態の斜視図である。
【図７】本発明の第２の実施の形態による電池パック２ａ、２ｂの端子部３１と端子部３５とがソケット形状に形成された状態の斜視図である。図７（ａ）は、左側面の開口部に永久磁石３３を有する電池パック２ｂの端子部３５の斜視図であり、図７（ｂ）は、左側面の開口部に保護回路２１を有する電池パック２ｂの端子部３５の斜視図である。
【図８】本発明の第３の実施の形態による電池パック４及び電池パック接続部品４５の外観斜視図である。図８（ａ）は、電池パック４及び電池パック接続部品４５を分離した状態を示し、図８（ｂ）は、電池パック４及び電池パック接続部品４５の使用形態を示している。
【符号の説明】
【００４７】
１、２ａ、２ｂ、４  電池パック
３  電池ケース
３ａ  第１の電池内蔵部
３ｂ  第２の電池内蔵部
３ｃ  第３の電池内蔵部
５、５’  ヒンジ部
７  円筒状凸部保持部
９  電源端子
１１  電源ケーブル
１３  取り出し口
１５  円筒状凸部
１７  円筒状凹部
１９ａ、１９ｂ  素電池
２０ａ、２０ｂ  外装体
２１  保護回路
２３ａ、２３ｂ、３１ａ、３５ａ  プラス端子部
２５ａ、２５ｂ、３１ｂ、３５ｂ  マイナス端子部
２７  保護カバー
２９ａ、２９ｂ  リード線
３１  第１の端子部
３５  第２の端子部
３３  永久磁石
３７、４１  電極部
３９  支持部材
４３  保護部材
４５  電池パック接続部品
【図１】
2005116407.tif 000003
【図２】
2005116407.tif 000004
【図３】
2005116407.tif 000005
【図４】
2005116407.tif 000006
【図５】
2005116407.tif 000007
【図６】
2005116407.tif 000008
【図７】
2005116407.tif 000009
【図８】
2005116407.tif 000010